(57)【特許請求の範囲】
【請求項１】
海中においてカソードとなる、導電性及び柔軟性を有する網状体からなる基材を海底に設置する手順と、
前記基材と、海中に設置したアノードとなる部材との間に電流を流す手順と、
を含むことを特徴とするサンゴ育成方法。
【請求項２】
海中においてカソードとなる、導電性及び柔軟性を有する網状体からなる基材で、海中に存在する瓦礫を覆う手順と、
前記基材と、海中に設置したアノードとなる部材との間に電流を流す手順と、
を含むことを特徴とするサンゴ育成方法。
【請求項３】
前記基材は金属であり、前記部材は、前記基材よりも自然電位が卑な金属であり、前記基材と前記部材とを電気の導体で接続することにより、前記電流を流す請求項１又は２に記載のサンゴ育成方法。
【請求項４】
電源を用いて、前記基材と前記部材との間に前記電流を流す請求項１又は２に記載のサンゴ育成方法。
【請求項５】
前記基材は、航路を確保するために浚渫した海底に設置される請求項１から４のいずれか１項に記載のサンゴ育成方法。
【請求項６】
前記基材は、海底の砂地に設置される請求項１から４のいずれか１項に記載のサンゴ育成方法。
【発明の詳細な説明】
【技術分野】
【０００１】
本発明は、海底の地盤を安定化させることに関する。
【背景技術】
【０００２】
海洋に接した自然地形、地盤や構造物の経時劣化作用を抑制するため、海水中に溶解したカルシウム分やマグネシウム分などを固体表面に沈着させ、ひび割れや欠損部を修復するとともに強化する方法が提案されている（例えば、特許文献１）。
【先行技術文献】
【特許文献】
【０００３】
【特許文献１】特開２００７−０７７６７９号公報（段落番号０００６）
【発明の概要】
【発明が解決しようとする課題】
【０００４】
ところで、航路を確保するために海底を浚渫する場合、サンゴ礁にダメージを与えてしまうことがある。また、海水温度の上昇等によってサンゴ礁がダメージを受ける場合があるが、死滅したサンゴの残骸が海中で移動することにより、サンゴの幼生の生育が妨げられ、サンゴ礁の再生に影響を与えることがある。特許文献１には、これらの点については開示も示唆もなく、改善の余地がある。本発明は、サンゴ礁の回復を図ることのできるサンゴ育成方法を提供することを目的とする。
【課題を解決するための手段】
【０００５】
上述した課題を解決し、目的を達成するために、本発明は、海中においてカソードとなる、導電性及び柔軟性を有する網状体からなる基材を海底に設置する手順と、前記基材と、海中に設置したアノードとなる部材との間に電流を流す手順と、を含むことを特徴とするサンゴ育成方法である。
【０００６】
このサンゴ育成方法は、網状の基材を用いるので、海底の形状に柔軟に追従して、サンゴを育成したい場所を覆うことができる。また、海底に設置された基材は、時間の経過とともに表面に電着鉱物が析出するので、全体が強固になる。このため、基材が設置された海底の地盤は安定する。また、電着鉱物にはサンゴの幼生が着生しやすく、かつ陽極と基材との間に電流が流れていることから、基材の周囲はサンゴの生育に適した環境となる。このように、このサンゴ育成方法は、安定化した海底の地盤の上に、サンゴの生育に適した環境を形成できるので、サンゴ礁の回復を図ることができる。
【０００７】
上述した課題を解決し、目的を達成するために、本発明は、海中においてカソードとなる、導電性及び柔軟性を有する網状体からなる基材で、海中に存在する瓦礫を覆う手順と、前記基材と、海中に設置したアノードとなる部材との間に電流を流す手順と、を含むことを特徴とするサンゴ育成方法である。
【０００８】
このサンゴ育成方法は、網状の基材を用いてサンゴの死骸や石等の瓦礫を覆うので、潮流や台風の影響によりこれらが海中を移動することを抑制できる。また、このサンゴ育成方法は、網状の基材が海底の形状や瓦礫の形状に追従してこれらを覆うので、瓦礫の移動を抑制することができる。さらに、海底に設置された基材は、時間の経過とともに表面に電着鉱物が析出するので、全体が強固になる。このため、基材が設置された海底の地盤は安定する。また、電着鉱物にはサンゴの幼生が着生しやすく、かつ陽極と基材との間に電流が流れていることから、基材の周囲はサンゴの生育に適した環境となる。このように、このサンゴ育成方法は、瓦礫の移動を抑制し、かつ安定化した海底の地盤の上に、サンゴの生育に適した環境を形成できるので、サンゴ礁の回復を図ることができる。
【０００９】
本発明の望ましい態様として、前記基材は金属であり、前記部材は、前記基材よりも自然電位が卑な金属であり、前記基材と前記部材とを電気の導体で接続することにより、前記電流を流すことが好ましい。このように、このサンゴ育成方法は、いわゆる流電陽極法を用いることで、電源を必要とせず、簡単な構造でサンゴ礁の回復を図ることができる。
【００１０】
本発明の望ましい態様として、電源を用いて、前記基材と前記部材との間に前記電流を流すことが好ましい。このようにすることで、このサンゴ育成方法は、流電陽極法により電流を流す場合と比較して、定電流を簡易に流すことができる。
【００１１】
本発明の望ましい態様として、前記基材は、航路を確保するために浚渫した海底に設置されることが好ましい。このような場所に基材が設置されることにより、航路の海底の地盤が安定し、かつサンゴが生育しやすい環境が得られる。したがって、このサンゴ育成穂法は、サンゴ礁において航路を確保するために浚渫した後に、当該浚渫によってダメージを受けたサンゴ礁を回復させる場合に有効である。
【００１２】
本発明の望ましい態様として、前記基材は、海底の砂地に設置されることが好ましい。このサンゴ育成方法は、基材に電着鉱物が析出することにより海底の地盤を安定させることができるので、砂の流出を抑制することもできる。
【発明の効果】
【００１３】
本発明は、サンゴ礁の回復を図ることのできるサンゴ育成方法を提供できる。
【図面の簡単な説明】
【００１４】
【図１】図１は、実施形態１に係るサンゴ育成方法に用いる基材及び当該基材を含むサンゴ育成装置を示す装置構成図である。
【図２】図２は、実施形態１の変形例に係るサンゴ育成装置を示す装置構成図である。
【図３】図３は、実施形態１に係るサンゴ育成方法のフロー図である。
【図４】図４は、実施形態１に係るサンゴ育成装置を海底に設置した状態を示す模式図である。
【図５】図５は、実施形態１に係るサンゴ育成装置を砂地の海底に設置した状態を示す模式図である。
【図６】図６は、実施形態２に係るサンゴ育成装置を海底に設置した状態を示す模式図である。
【図７】図７は、実施形態２に係るサンゴ育成方法のフロー図である。
【図８】図８は、サンゴ育成装置の応用例を示す説明図である。
【発明を実施するための形態】
【００１５】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００１６】
（実施形態１）
図１は、実施形態１に係るサンゴ育成方法に用いる基材及び当該基材を含むサンゴ育成装置を示す装置構成図である。本実施形態に係るサンゴ育成方法は、海中においてカソード（陰極）となる、網状かつ導電性を有する基材１を海底に設置した後、基材１と、海中に設置したアノードとなる部材との間に電流を流す点に特徴がある。このような手順により海底に設置した基材１の表面には、時間の経過とともに電着鉱物が析出し、基材１全体の強度を向上させる。このような基材が海底に設置されると、海底の地盤が強化されるとともに、基材１の表面にサンゴ幼生が着生して生育しやすくなる。
【００１７】
本実施形態に係るサンゴ育成方法は、図１に示すサンゴ育成装置１００を用いる。サンゴ育成装置１００は、いわゆる流電陽極法を利用して基材１に電着鉱物を析出させる。サンゴ育成装置１００は、基材１と、アノードとなる部材としての陽極２と、基材１と陽極２とを電気的に接続する導線３と、を有する。基材１は、導電性を有する複数の繊維（本実施形態では金属の繊維）１Ｆが格子状に編み込まれた網状の構造体である。複数の繊維１Ｆに、電着鉱物が析出したり、サンゴが活着したりする。
【００１８】
カソードとなる基材１は、海水中で用いることを考慮して、ステンレス鋼又はチタン（Ｔｉ）又はチタン化合物等の耐食性が高い金属を用いることができる。さらに、基材１は、その表面を、例えばセラミックの粉末や多孔質コンクリート等で被覆して、多孔質の被覆層を有するものであってもよい。このようにすれば、サンゴ幼生（プラヌラ幼生）が基材１に着生しやすくなる。
【００１９】
陽極２は、基材１よりも自然電位が卑な金属である。サンゴ育成装置１００では、陽極２は流電陽極として機能する。基材１と陽極２とは、電気の導体である導線３によって電気的に接続される。このような構造のサンゴ育成装置１００を海中に設置すると、基材１と陽極２との間に海水が介在する。海水は電解質なので、海中のサンゴ育成装置１００は、海水の電池作用により、陽極２と基材１との間に電流が流れる。より具体的には、陽極２から基材１に向かって電流が流れる。その結果、海中のサンゴ育成装置１００は、基材１にＣａＣＯ３、Ｍｇ（ＯＨ）２、ＭｇＣＯ３等の石灰質が電着鉱物として析出し、また、基材１の周辺環境のアルカリ化が促進される。
【００２０】
基材１は、網状の構造体であるため、柔軟性を有する。基材１に電着鉱物が析出し、その厚みが増してくると、基材１の強度が向上し、基材１は、一枚の板のようになる。また、基材１に析出した電着鉱物は石灰質であるため、電着鉱物が析出した基材１は、サンゴが活着する基盤となる。また、基材１の周辺環境のアルカリ化が促進される、すなわち陰極の周辺における海水のｐＨが上昇すると、サンゴの石灰化に必要なエネルギーが小さくなるため、サンゴの成長速度及び耐性を向上させる。これらの作用によって、サンゴ育成装置１００が有する基材１は、海底に設置されると、時間の経過とともに強度が向上するので、海底の地盤を安定化させる。同時に、基材１にサンゴが活着した場合には、当該サンゴの成長を促進させるとともに、当該サンゴを基材１により確実に活着させることができる。
【００２１】
流電陽極法を用いる場合において、基材１への電着鉱物の析出及び基材１周辺における環境のアルカリ化を促進させるためには、陽極２の種類が重要になる。陰極電位が約−１０００ｍＶ（飽和かんこう電極基準、以下省略）より貴側（電位が高い）であれば、基材１における反応は、概ね式（１）で表される酸素還元反応で、電流密度の大きさは１００ｍＡ／ｍ２程度である。この反応に対応する陽極２は、アルミニウム系の材料を用いるが、上記電流値では石灰質の析出は遅くなる。一方、陽極２の消耗は比較的小さいため、陽極２の寿命は長くなる。
Ｏ２＋Ｈ２Ｏ＋４ｅ−→４ＯＨ−・・・（１）
【００２２】
陰極電位が−１１００ｍＶより卑側（電位が低い）であれば、基材１における反応は、おおむね式（２）で表される水素発生反応で、電流密度の大きさは１０００ｍＡ／ｍ２以上も可能となる。この反応に対応する陽極２は、マグネシウム系の材料を用いる。上記電流値では、石灰質の析出は早くなるが、流電陽極の消耗が大きく、陽極２の寿命は短くなる。
２Ｈ２Ｏ＋２ｅ−→Ｈ２＋２ＯＨ−・・・（２）
本実施形態においては、石灰質の析出や陽極２の消耗、あるいは藻や貝類等の付着抑制等を考慮して、陽極２の材料を選択したり、陽極２の形状や配置等を変更したりする。例えば、初期においては陽極から陰極へ流れる電流を大きくして藻類や貝類の付着を抑制し、ある程度の期間が経過したら、前記電流を小さくして、サンゴの成長を促進する。
【００２３】
基材１の表面における電流密度を変更するために、サンゴ育成装置１００は、電流の大きさを変更して電流密度を変更する電流密度変更手段を有してもよい。前記電流密度変更手段は、基材１と陽極２との間に導線３を介して電気的に接続される。電流密度変更手段は、例えば、可変抵抗装置を用いてもよいし、半導体素子を組み合わせて構成してもよいし、取り替え可能である抵抗としてもよい。このように、電流密度を変更することを可能とすることで、電着鉱物の析出速度を制御することができる。
【００２４】
図２は、実施形態１の変形例に係るサンゴ育成装置を示す装置構成図である。このサンゴ育成装置１００ａは、基材１ａと、陽極２ａと、電源４と、を有する。電源４は、直流電源である。電源４の負極（−極）と基材１ａとは導線３Ａによって電気的に接続され、正極（＋極）と陽極２ａとは導線３Ｂによって電気的に接続される。サンゴ育成装置１００ａは、少なくとも基材１ａと陽極２ａとが海中に設置される。この状態で、電源４は、基材１ａと陽極２ａとの間に電流を流す。より具体的には、電源４は、陽極２ａから基材１ａに向かって電流を流す。その結果、基材１ａにはＣａＣＯ３、Ｍｇ（ＯＨ）２、ＭｇＣＯ３等の石灰質が電着鉱物として析出し、また、基材１ａの周辺環境のアルカリ化が促進される。
【００２５】
サンゴ育成装置１００ａが有する陽極２ａは、海水の電気分解に用いても酸化しない、不溶性導電体（チタン、炭素、白金等）を用いることが好ましいが、これに限定されるものではなく、酸化溶解する金属を用いてもよい。酸化溶解する金属、例えば、アルミニウム又はアルミニウム合金を陽極２ａに用いると、電着鉱物が基材１ａに析出している最中に、陽極２ａから塩素が発生することを回避することができる。また、陽極２ａにアルミニウム又はアルミニウム合金を用いると、マグネシウム又はマグネシウム合金を陽極２ａに用いたときと比較して、陽極２ａの酸化溶解を遅くすることができる。
【００２６】
サンゴ育成装置１００ａは、電源４によって基材１ａと陽極２ａとの間に電流を流すので、流電陽極法により電流を流す場合と比較して、定電流を簡易に流すことができる。また、サンゴ育成装置１００ａは、基材１ａの表面における電流密度を変更するために、例えば、可変抵抗装置による電流調節装置を有していてもよい。この電流調節装置は、基材１ａと、導線３Ａと、電源４と、導線３Ｂと、陽極２ａとを有する回路に、直列に接続される。このような電流調節装置は、簡易に基材１ａの表面における電流密度を変更することができるので、簡易に電着鉱物の析出速度を変化させることができる。
【００２７】
電流密度の大きさは適宜設定することができるが、基材１ａの表面における電流密度は、基材１ａに活着したサンゴを育成するときの値よりも大きくなるように設定することが好ましい。このようにすることで、サンゴが基材１ａに活着する前は、電着鉱物の析出速度を大きくすることができるので、海底の地盤を早期に安定化させることができる。そして、サンゴが基材１ａに活着した後は、基材１ａの表面における電流密度をサンゴの育成に適した値とすることにより、サンゴを適切に育成することができる。サンゴが基材１ａに活着する前において、基材１の表面における電流密度は、例えば、１０００ｍＡ／ｍ２以上５０００ｍＡ／ｍ２以下が好ましい。
【００２８】
サンゴ育成のために適した基材１ａの表面における電流密度は、１０ｍＡ／ｍ２以上５００ｍＡ／ｍ２以下、好ましくは３０ｍＡ／ｍ２以上３００ｍＡ／ｍ２以下、より好ましくは４０ｍＡ／ｍ２以上１００ｍＡ／ｍ２以下、さらに好ましくは４０ｍＡ／ｍ２以上７０ｍＡ／ｍ２以下である。このような電流密度とすると、電着鉱物が適度に析出してサンゴの着生及び生育が促進される。このような値とすることで、サンゴ幼生を着生させている間に、すでに基材１に着生しているサンゴ幼生の生育を促進することができる。また、上述したような値とすることで、基材１ａの周辺環境のアルカリ化が促進される、すなわち、基材１ａの周辺における海水のｐＨが上昇する。このように、アルカリ化が促進されると、サンゴの石灰化に必要なエネルギーが小さくなるため、サンゴの成長速度及び耐性を向上させる。
【００２９】
基材１ａの表面における電流密度は、図１に示すサンゴ育成装置１００の基材１においても同様である。サンゴ育成装置１００の基材１の表面における電流密度を調整するには、例えば、基材１と陽極２との間に電気抵抗を接続する。そして、時間の経過に応じて電気抵抗を大きくする。このようにすれば、基材１の表面における電流密度を、電着鉱物の析出に適した値から、サンゴを育成する場合に適した値へと変更することができる。次に、本実施形態に係るサンゴ育成方法の手順を説明する。
【００３０】
図３は、実施形態１に係るサンゴ育成方法のフロー図である。図４は、実施形態１に係るサンゴ育成装置を海底に設置した状態を示す模式図である。この例は、サンゴ礁が存在する海域において航路を確保するために、海底を浚渫した後に、浚渫した部分の地盤を安定化させるものである。次の説明においては、図１に示すサンゴ育成装置１００を用いるが、図２に示すサンゴ育成装置１００ａを用いてもよい。
【００３１】
まず、サンゴ育成装置１００の基材１を、海底ＢＴに設置する（ステップＳ１０１）。この例では、潮流等で基材１が動くことを抑制するため、固定部材５を用いて基材１を海底ＢＴに固定する。固定部材５としては、例えば、杭、アンカー（錘）等を用いることができる。基材１が設置される部分は、海底ＢＴのうち、浚渫して窪んだ部分である。基材１は、網状の構造体なので、柔軟性を有している。このため、海底ＢＴの形状が複雑であっても、その形状に追従しやすくなる。基材１は、海底ＢＴに埋め込んでもよいし、海底ＢＴの上に設置するだけでもよい。
【００３２】
基材１が海底ＢＴに設置されたら、基材１と、海中ＷＩに設置したアノードとなる部材、すなわち陽極２との間に電流を流す（ステップＳ１０２）。サンゴ育成装置１００は、流電陽極法を用いるので、陽極２を海中ＷＩに設置するとともに、導線３で陽極２と基材１とを電気的に接続する。このようにすることで、基材１と陽極２との間に電流が流れ、基材１にはＣａＣＯ３、Ｍｇ（ＯＨ）２、ＭｇＣＯ３等の電着鉱物が析出する。
【００３３】
基材１に電着鉱物が析出すると、基材１の強度が向上するので、海底ＢＴの地盤は安定する。また、基材１に析出した電着鉱物は、石灰藻が定着しやすい。石灰藻には、例えば、サンゴモのように、サンゴ礁の表面に新たに石灰を追加供給する役割を果たし、サンゴ礁の形成に欠かせない藻類がある。このため、基材に電着鉱物を析出させることで基材１に石灰藻が定着しやすくなり、サンゴが着生・生育しやすくなる。
【００３４】
このように、電着鉱物が析出した基材１は、サンゴＳが活着しやすい環境となるとともに、基材１の周辺は、活着したサンゴＳが生育しやすい環境となる。このため、サンゴ礁が存在する海域において航路を確保するために海底ＢＴを浚渫した結果、サンゴ礁にダメージを与えたような場合にサンゴ育成装置１００を用いれば、海底ＢＴの地盤を安定化させ、かつ、サンゴ礁の回復を図ることができる。本実施形態に係るサンゴ育成方法は、上述したように、サンゴＳが基材１に活着する前後において、基材１の表面における電流密度を変更してもよい。
【００３５】
図５は、実施形態１に係るサンゴ育成装置を砂地の海底に設置した状態を示す模式図である。本実施形態において、サンゴ育成装置１００は、海底ＢＴのうち浚渫された部分に設置されたが、サンゴ育成装置１００を設置する部分はこれに限定されるものではない。例えば、図５に示すように、砂地の海底ＢＴにサンゴ育成装置１００の基材１を設置して、砂地の地盤を安定させつつサンゴ礁を形成したり、ダメージを受けたサンゴ礁の海底に基材１を設置して、地盤を安定させつつサンゴ礁を回復したりしてもよい。また、砂地に基材１を設置すれば、閉鎖性リーフにおいては砂の流出を抑制できる。さらに、砂地に基材１を設置すれば、砂地にサンゴ礁を作ることができる可能性もある。この場合、基材１は、複数の固定部材５で海底ＢＴに固定される。そして、複数の陽極２が、基材１上に設置されて、導線３によって基材１と電気的に接続される。
【００３６】
（実施形態２）
図６は、実施形態２に係るサンゴ育成装置を海底に設置した状態を示す模式図である。図７は、実施形態２に係るサンゴ育成方法のフロー図である。実施形態２は、網状かつ導電性を有する基材で、海中に存在するサンゴの残骸や貝殻、あるいは石等の瓦礫を覆った後、前記基材と、海中に設置したアノードとなる部材との間に電流を流す点に特徴がある。実施形態２に係るサンゴ育成方法は、実施形態１に係るサンゴ育成装置１００、１００ａを用いて実現することができる。次の説明においては、図１に示すサンゴ育成装置１００を用いるが、図２に示すサンゴ育成装置１００ａを用いてもよい。
【００３７】
この例は、サンゴの残骸や石等の瓦礫を集めて当該残骸の海中ＷＩにおける移動を抑制するものである。まず、海中ＷＩにおいて、サンゴの残骸や石等のＳＡを集めて、これを図１に示すサンゴ育成装置１００の基材１で覆う（ステップＳ２０１）。基材１は、網状の構造体なので、柔軟性を有している。このため、瓦礫ＳＡを覆うことに適している。
【００３８】
基材１で瓦礫ＳＡを覆った後、潮流等で基材１が動くことを抑制するため、固定部材５を用いて基材１を海底ＢＴに固定する。また、基材１を袋状にした上で、基材１の中に瓦礫ＳＡを投入して、袋の口を閉じてもよい。このようにして、瓦礫ＳＡを基材１で覆うとともに、基材１を海底ＢＴに固定する。
【００３９】
基材１が海底ＢＴに設置されたら、基材１と、海中ＷＩに設置したアノードとなる部材、すなわち陽極２との間に電流を流す（ステップＳ２０２）。サンゴ育成装置１００は、流電陽極法を用いるので、陽極２を海中ＷＩに設置するとともに、導線３で陽極２と基材１とを電気的に接続する。このようにすることで、基材１と陽極２との間に電流が流れ、基材１には電着鉱物が析出する。基材１に電着鉱物が析出すると、基材１の強度が向上するので、基材１が設置された海底ＢＴの地盤は安定する。また、基材１で瓦礫ＳＡを覆うことで、台風や潮流等の影響による瓦礫ＳＡの流出を抑制できるので、海底ＢＴの地盤が安定する。その結果、基材１や、基材１が設置された海底ＢＴにサンゴＳが活着しやすくなる。
【００４０】
また、電着鉱物が析出した基材１は、サンゴＳが活着しやすい環境となるとともに、基材１の周辺は、活着したサンゴＳが生育しやすい環境となる。このため、サンゴが死滅し、サンゴの幼生が着生しにくいような場所にサンゴ育成装置１００を設置することにより、基材１にサンゴＳが活着して、サンゴ礁の回復を図ることができる。このとき、基材１は瓦礫ＳＡを覆うので、瓦礫ＳＡが潮流や台風等の影響で海中ＷＩを移動することが抑制される。このため、瓦礫ＳＡが基材１に活着したサンゴＳに当たり、サンゴＳの生育を阻害するようなおそれを低減できる。その結果、本実施形態に係るサンゴ育成方法は、サンゴ礁を効率的に回復できる。
【００４１】
このように、本実施形態に係るサンゴ育成方法は、ダメージを受けたサンゴ礁を回復させるにあたって、海底ＢＴの地盤を安定化させ、かつ瓦礫ＳＡの海中ＷＩにおける移動を抑制して、サンゴ礁の回復を図ることができる。例えば、サンゴ礁が存在する海域において航路を確保するために、海底を浚渫した際にダメージを受けたサンゴ礁を回復させる場合にも有効である。なお、本実施形態に係るサンゴ育成方法は、上述したように、サンゴＳが基材１に活着する前後において、基材１の表面における電流密度を変更してもよい。
【００４２】
図８は、サンゴ育成装置の応用例を示す説明図である。サンゴ育成装置１００の基材１で岩礁帯の岩Ｒを覆い、海中ＷＩで、基材１と導線３で電気的に接続された陽極２と基材１との間に電流を流す。そして、基材１に電着鉱物を析出させ、サンゴＳが活着しやすくかつ、活着したサンゴＳが生育しやすい環境とする。このようにすれば、例えば、いわゆる磯焼けが発生した岩礁帯を再生させることもできる。
【産業上の利用可能性】
【００４３】
以上のように、本発明に係るサンゴ育成方法は、海底の地盤を安定化することに有用である。
【符号の説明】
【００４４】
１、１ａ  基材
１Ｆ  繊維
２、２ａ  陽極
３、３Ａ、３Ｂ  導線
４  電源
５  固定部材
１００、１００ａ  サンゴ育成装置
【図１】
0005566842.tif 000002
【図２】
0005566842.tif 000003
【図３】
0005566842.tif 000004
【図４】
0005566842.tif 000005
【図５】
0005566842.tif 000006
【図６】
0005566842.tif 000007
【図７】
0005566842.tif 000008
【図８】
0005566842.tif 000009